(57)【特許請求の範囲】
【請求項１】
一側面が開口した薄箱状の器具本体と、前記開口より前記器具本体内に収納されかつ並べて配置された電子ブロックおよび電池ボックスとを備えた電子機器において、
前記電子ブロックおよび前記電池ボックスのうちで前記器具本体内に先に収納されるものに、前記器具本体に収納する収納方向に凹む窪みを設けるとともに前記窪み内に端子を設け、前記電子ブロックおよび前記電池ボックスのうちで前記器具本体内に後から収納されるものにコネクタ部を突設し、前記器具本体内に後から収納されるものを前記器具本体に収納する際の前記収納方向の操作によって、前記コネクタ部が前記窪みに嵌まりかつ前記端子に直接接続される電子機器。
【請求項２】
前記電子ブロックおよび前記電池ボックスは前記器具本体の下板上に並べて配置されている請求項１記載の電子機器。
【請求項３】
前記電子ブロックは電池ボックス固定用の引っ掛け部を有し、
前記コネクタ部は、前記電池ボックスが前記器具本体に収納された状態で、前記電池ボックスの前記開口側の上面より前記開口の外方に向けて突出する第１の突出部、および前記電子ブロックに向く側面より前記電子ブロックに向けて突出する第２の突出部を連続して形成したものであり、
前記第２の突出部の前記電子ブロックに向く面に、前記コネクタ部が前記端子に接続された状態で、前記引っ掛け部に弾性係止する着脱レバーを設け、
前記着脱レバーは、前記着脱レバーと、前記第１の突出部の前記着脱レバーの反対側とを指でつまむことにより、前記着脱レバーを前記引っ掛け部から解除するつまみ部を有する請求項１記載の電子機器。
【請求項４】
前記第１の突出部は前記電子ブロックと略同一の高さである請求項３記載の電子機器。 
【請求項５】
前記電池ボックスは、前記電子ブロックと対向する面に前記コネクタ部が前記端子に接続された状態で当接する当接部を有する請求項１または請求項３記載の電子機器。
【請求項６】
前記電子ブロックは前記端子の近傍に前記コネクタ部の位置決め用ガイドを有し、前記コネクタ部は前記位置決め用ガイドに案内される第１の被ガイド部を有する請求項１、請求項２、請求項３、請求項４または請求項５記載の電子機器。
【請求項７】
前記器具本体は、前記電池ボックスの前記電子ブロックと反対側を係止する係止片を有し、前記電池ボックスは前記器具本体に収納する際に前記係止片にガイドされる第２の被ガイド部を有する請求項６記載の電子機器。
【発明の詳細な説明】
【技術分野】
【０００１】
この発明は、非常灯や誘導灯の点灯回路などに適用される電子ブロックと電池ボックスを有する電子機器に関するものである。
【背景技術】
【０００２】
埋め込み型の非常灯照明器具は、下端面に接触ピンが突出した非常灯ブロックを器具本体内に収納するとともに、接触ピンに接触する受側端子を下端の側面に有する電池ボックスを器具本体内に収納している（例えば特許文献１参照）。埋め込み型の非常灯照明器具は天井開口となる下面開口が小さいため、比較的縦長の筒状の器具本体内に縦長の非常灯ブロックと縦長の電池ボックスとを下面開口より挿入しており、相互間を配線で接続するためのスペースをとることが困難であり、しかも下面開口より非常灯ブロックと電池ボックスを収納する際に、非常灯ブロックと電池ボックスの自重を支えながら配線接続作業を行うため、作業が容易でなくしかも安全性を考慮する必要があるので、非常灯ブロックと電池ボックスとを配線レスで接続している。
【０００３】
これに対して、一側面が開口した薄箱状の器具本体を天井に直付けしたり壁付けする非常灯照明器具や誘導灯の場合は、図９および図１０に示すように、器具本体１８０の開口１８１が大きく内部の収納スペースも大きくすることができるため、収納スペース内の背面に偏平形の電子ブロック１７５と電池ボックス１７０を当てて取付けるように収納したとき、その収納状態の電子ブロック１７５と電池ボックス１７０との間に配線スペースを設ける余裕があった。そのため、電池ボックス１７０は電池ケース１７１の中に素電池１７２を収納し、その素電池１７２に接続された電線１７３に接続したコネクタ１７４と、電子ブロック１７５に接続された電線１７６に接続したコネクタ７７とを接続することにより導通をとっていた。また側面開口より水平方向に電子ブロック１７５および電池ボックス１７０を収納することができるため、配線作業も安全かつ容易に行えた。
【０００４】
１８２はランプおよび反射板を保持したランプホルダ、１８３は点検スイッチおよびモニタランプなどを有する点検ブロック、１８４はカバーを兼ねた表示板ユニットである。
【特許文献１】実開平７−１６３１３号公報
【発明の開示】
【発明が解決しようとする課題】
【０００５】
しかし、この照明器具は配線スペースを必要とするため、小型コンパクト化の要請の障害になるとともに、コンパクト化した場合配線作業が容易でなくなりコスト高になった。
【０００６】
上記は電子機器として照明器具の場合であったが、その他の電子機器にも適用できる。      
【０００７】
したがって、この発明の目的は、コンパクト化できしかも組立性およびコスト性に優れた電子機器を提供することである。
【課題を解決するための手段】
【０００８】
この発明の電子機器は、一側面が開口した薄箱状の器具本体と、前記開口より前記器具本体内に収納されかつ並べて配置された電子ブロックおよび電池ボックスとを備えたものである。前記電子ブロックおよび前記電池ボックスのうちで前記器具本体内に先に収納されるものに、前記器具本体に収納する収納方向に凹む窪みを設けるとともに前記窪み内に端子を設けている。前記電子ブロックおよび前記電池ボックスのうちで前記器具本体内に後から収納されるものにコネクタ部を突設している。前記器具本体内に後から収納されるものを前記器具本体に収納する際の前記収納方向の操作によって、前記コネクタ部が前記窪みに嵌まりかつ前記端子に直接接続される。
【０００９】
上記構成において、前記電子ブロックおよび前記電池ボックスは前記器具本体の下板上に並べて配置されている。
【００１０】
上記構成において、前記電子ブロックは電池ボックス固定用の引っ掛け部を有し、
前記コネクタ部は、前記電池ボックスが前記器具本体に収納された状態で、前記電池ボックスの前記開口側の上面より前記開口の外方に向けて突出する第１の突出部、および前記電子ブロックに向く側面より前記電子ブロックに向けて突出する第２の突出部を連続して形成したものであり、
前記第２の突出部の前記電子ブロックに向く面に、前記コネクタ部が前記端子に接続された状態で、前記引っ掛け部に弾性係止する着脱レバーを設け、
前記着脱レバーは、前記着脱レバーと、前記第１の突出部の前記着脱レバーの反対側とを指でつまむことにより、前記着脱レバーを前記引っ掛け部から解除するつまみ部を有する。
【００１１】
上記構成において、前記第１の突出部は前記電子ブロックと略同一の高さである。  
【００１２】
上記構成において、前記電池ボックスは、前記電子ブロックと対向する面に前記コネクタ部が前記端子に接続された状態で当接する当接部を有する。
【００１３】
上記構成において、前記電子ブロックは前記端子の近傍に前記コネクタ部の位置決め用ガイドを有し、前記コネクタ部は前記位置決め用ガイドに案内される第１の被ガイド部を有する。
【００１４】
上記構成において、前記器具本体は、前記電池ボックスの前記電子ブロックと反対側を係止する係止片を有し、前記電池ボックスは前記器具本体に収納する際に前記係止片にガイドされる第２の被ガイド部を有する。
【発明の効果】
【００１５】
この発明の電子機器によれば、電池ボックスと電子ブロックとがコネクタ部と端子とで直接接続されるため、配線レスにできるとともに、器具本体内に後から収納される例えば電池ボックスより突出したコネクタ部が、器具本体内に先に収納される電子ブロックに設けられ収納方向に凹んでいる窪みに、電池ボックスを収納する際の収納方向すなわち器具本体の開口方向の操作で嵌まり、窪み内でコネクタ部と端子とが直接接続されるため、電池部分と電子ブロックが重ならず器具本体内での部品の収容面積を小さくすることができるので、器具本体をコンパクトにすることができる。また器具本体が側面に開口を有する薄箱形であるため、器具本体内に電池ボックスを収納する際に電子ブロックの端子に電池ボックスのコネクタを接続するのが安全かつ簡単に行える。また端子とコネクタの接続方向は電池ボックスの収納方向（器具本体の開口方向）であるため、見易くて接続操作がしやすく、電池ボックスの取付けが容易になる。
【００１６】
電子ブロックを器具本体の底面上に配置したため、点検スイッチやモニタランプを有する点検ブロックを電子ブロックに一体に設けることができ、点検ブロックと電子ブロックを分けた場合に相互のリード線による配線を不要とすることができる。  
【００１７】
着脱レバーをコネクタ部に設けたことにより、電池ボックスの着脱時に電子ブロックの基板に必要以上の応力を掛けることなく着脱できる。
【００１８】
電池ボックスより突設したコネクタ部の第１の突出部を電子ブロックと略同一の高さにすることで、平面的にも器具本体をコンパクトにすることができる。
【００１９】
電池ボックスの電子ブロックと対向する面に電子ブロックに当接する当接部を設けたため、相互間の相対向方向のがたつきや回動を抑えることができ、電子ブロックの基板および電池ボックスの突設部を必要以上の応力を掛けることなく着脱できる。
【００２０】
電子ブロックの端子近傍にコネクタ部の位置決め用ガイドを設けたことにより、コネクタ部が端子と接続しやすくなる。
【００２１】
電池ボックスの電子ブロック側と反対側の面に電池ボックス固定用の係止片をガイドする被ガイド部を設けたことにより、より一層電池ボックスの位置決めをしやすくなり接続が容易になる。また器具本体の背板に沿った方向のがたつきや回動をより一層抑えることができ、電子ブロックの基板および電池ボックスの突出部に必要以上の応力を掛けることなく着脱できる。
【発明を実施するための最良の形態】
【００２２】
この発明の一実施の形態を図１から図８により説明する。すなわち、この電子機器は表示用照明器具例えば誘導灯であり、器具本体１と、電子ブロック２と、電池ボックス３と、端子台４と、ランプホルダ５と、表示ユニット３５からなる。
【００２３】
器具本体１は、正面に開口１ｆを形成した薄箱形であり、開口１ｆの奥側となる背板１ａ、側板１ｂ、１ｃ、下板１ｄ、上板１ｅからなる。背板１ａには上部寄りに電源穴７および複数の壁取付孔８を形成している。背板１ａの側板１ｂの下端寄りに電池ボックス固定用爪を用いた係止片１４を立設状態に設けている。下板１ｄには複数の点検関連用の穴９が設けられている。上板１ｅには天井取付けの際に使用する電源穴１０および取付け穴１１が設けられている。側板１ｂ、１ｃには各上端部にランプホルダ５を受けるランプソケット１２が設けられ、中間部に表示ユニット３５の引っ掛け部３５ａを引っ掛けるための係止部１３を設けている。
【００２４】
電子ブロック２は点灯回路を内蔵しており、開口１ｆより器具本体１内に収納され、器具本体１の下板１ｄ上に当接してまたは下板１ｄより若干浮かして側板１ｃ寄りに配置され背板１ａに固定手段により固定されている。この電子ブロック２は、ケース２ａとケース２ａ内に設けられ点灯回路部品を実装したプリント基板１６とで構成している。プリント基板１６は下端角部に例えばピンを用いた端子１７および爪状の引っ掛け部１８を立設している。電子ブロック２のケース２ａは一側の下端側に凹部３７を形成しており、その下端角部に一端が凹部３７の側面に開口し他端が下面に開口する平面逆Ｌ字形の凹溝部１９を形成し、その溝底に開口部３８を設け、開口部３８より端子１７および引っ掛け部１８を露出している。凹溝部１９は手指が挿入できる程度の窪みである。また凹溝部１９内にリセットスイッチ６９を露出するようにリセットスイッチ６９をプリント基板１６に設けている。リセットスイッチ６９は点灯ブロック２に内蔵されたランプ交換時期を知らせるタイマを開始するものであり、タイマはランプ交換時期がくると後述のモニタランプ２４を点灯させる。凹溝部１９の内側面の相対向する部分で端子１７の両側にコネクタ部２５の位置決め用ガイド２０として溝を形成している。さらに電子ブロック２の下端部寄りに点検スイッチ２３およびモニタランプ２４などの点検部を設け、これらに下板１ｄの点検関連用の穴９が対向している。
【００２５】
ケース２ａの一側の上端部にはプリント基板１６を露出させる小開口部２１を形成し、小開口部２１のプリント基板１６の露出した部分に受け端子４０を設けている。小開口部２１の上側は外向きの傾斜面２２としている。
【００２６】
電池ボックス３は、電子ブロック２と並べて配置されるように開口１ｆより器具本体１内に収納され、器具本体１の下板１ｄ上に配置され、後述のように背板１ａに固定される。電池ボックス３は電子ブロック２に対向する側部が凹部３７に嵌まるとともに、端子１７に直接接続されるコネクタ部２５をその側部に設け、電池ボックス３を器具本体１に収納する収納方向の操作によって、コネクタ部２５が端子１７に電気的に接続されるようにしている。この場合、電池ボックス３と電子ブロック２は重ならずコネクタ部２５が端子１７に被さるように重なっている。コネクタ部２５は器具本体１に収納された状態の電池ボックス３の開口１ｆ側の表面に突出する第１の突出部２６および電子ブロック２に向く側面に突出する第２の突出部２７を連続して形成している。第１の突出部２６は電子ブロック２と略同一の高さにしている。第２の突出部２７の電子ブロック２に向く面にコネクタ部２５が端子１７に接続された状態で引っ掛け部１８に弾性係止する例えばかぎ形の着脱レバー２８を設けている。着脱レバー２８は着脱レバー２８と第１の突出部２６の着脱レバー２８の反対側とを指でつまむことにより着脱レバー２８を引っ掛け部１８から係止解除するつまみ部２９を設けている。そして第１の突出部２６の着脱レバー２８と反対側に指を掛けやすくするため、第１の突出部２６に指掛け部３０をリブ状に突設している。      
【００２７】
電池ボックス３は、電子ブロック２と対向する面の両側にコネクタ部２５が端子１７に接続された状態で当接する当接部３１としてリブを形成している。コネクタ部２５は位置決め用ガイド２０に案内される被ガイド部３２として第２の突出部２７の両側に突起を設けている。電池ボックス３を器具本体１に収納する際に、コネクタ部２５が端子１７に接続されるとほぼ同時に係止片１４にガイドされる被ガイド部３３として、電池ボックス３の電子ブロック２と反対側に一対のリブを有する。
こうして、電池ボックス３は着脱レバー２８が引っ掛け部１８に係止し、係止片１４が電池ボックス３の表面に係止することにより背板１ａに取付けられる。
【００２８】
図５から図８は電池ボックスの内部構造を示す。電池ボックス３は上ケース４２と下ケース４３とで構成され、コネクタ部２５は下ケース４３に設けた突出部４７と上ケース４２に突出部４７に冠合するように設けた冠合部４８で構成している。突出部４７に電子ブロック２の端子１７に抱持する形で接触接続される、例えば断面略コ字状の筒状の差し込みコネクタ４４を配置するための差し込みコネクタ挿入穴４５を設け、この差し込みコネクタ挿入穴４５に挿入された差し込みコネクタ４４の後端部を押圧する例えばリブ状の突起を用いた押圧部４９を冠合部４８の内側に設けている。したがって、下ケース４３に上ケース４２を被せることで、押圧部４９で差し込みコネクタ４４を下方向に押すことにより正規の位置に収納するため、より確実で安全な導通を確保することができる。差し込みコネクタ挿入穴４５は端子１７の挿入孔になる。
【００２９】
さらに詳述すると、蓄電池を構成する４個の素電池５１が並列に配置され、下ケース４３の底面の４個の溝４９に配置されている。溝４９間の仕切り板５０には素電池５１を収納した際の抜け止め用突起５２が設けられている。この抜け止め用突起５２の形状は断面球状であるため抜け止め防止の役割とともに素電池５１の挿入がしやすくなっている。なお、この抜け止め用突起５２は仕切り板５０上に沿って設けた複数の球状の突起でもよい。下ケース４３の後端には後述のヒューズ５３を受けるヒューズ受け５５を有し、前端にはコネクタ部２５を形成するための前記した突出部４７を設け、突出部４７に縦に差し込みコネクタ４４を挿入する挿入穴４５を形成し、突出部４７の前面に着脱レバー２８を設けている。素電池５１には一端側にリード５２ａを介してヒューズ５３が接続され他端側に導板を用いた導体５４が接続され、導体５４の先端に差し込みコネクタ４４を設けている。上ケース４２は下ケース４３に被さる構成であり、ヒューズ５３に対応してリブ状の仕切り突起５８を設け、上ケース４２を被せるときに仕切り突起５８によりヒューズ５３と素電池５１との間に位置しヒューズ５３と素電池５１が触れないようにしている。また上ケース４２は突出部４７に冠合する前記した冠合部４８を設け、その冠合時に差し込みコネクタ４４の後端部を押圧するリブ状の押圧部４９により、前記したように差し込みコネクタ４４を正規の位置に位置決めする。そして冠合部４８の前板には着脱レバー２８を露出する切欠き６８を形成している。なお、上ケース４２と下ケース４３の結合構造は、下ケース４３の側面に爪状の係止部を設け、上ケース４２に係止部が係止するための穴を形成し、係止部が穴の縁部に係止することにより上ケース４２を固定するようにしている。係止部を穴より押すことにより係止部の係止を解除することができる。
【００３０】
端子台４は、速結端子を内蔵し、その速結端子に接続するための複数の電線挿入穴６７を電子ブロック２の斜面２２側に向けて傾斜して形成している。また端子台４の電子ブロック２側の端部に受け端子４０に端子台４の取付時に圧接する刃形端子４ａを設けている。６６は背板１ａに取付けるための取付部である。６４は電源穴７から電線挿入穴６７に引き込んだ電線であり、斜面２２に沿って配線される。
【００３１】
ランプホルダ５は、ランプおよび反射板を保持し、ランプの両端の電極に接続されランプホルダ５に保持された接続端子５ａがランプソケット１２に装着されている。ランプホルダ５の接続端子５ａがランプソケット１２に装着されることにより、器具本体１の開口１ｆの表示ユニット３５により閉じられた部分を除く上部の開口部分が閉じられる。またランプホルダ５の接続端子５ａがランプソケット１２に装着されることにより、電子ブロック２の点灯動作によってランプソケット１２を介してランプが給電され点灯する。
【００３２】
表示ユニット３５はランプの光を端面より入射する導光板を有して引っ掛け部３５ａが器具本体１の係止部１３に係止して固定されている。この場合、ランプホルダ２の接続端子５ａをランプソケット１２に装着する前に表示ユニット６を開口１ｆに挿入して係止部１３の上面に当接しスライドすることにより引っ掛け部３５ａを係止部１３の裏面側に係合し、ついでランプホルダ２をランプソケット１２に装着し、表示ユニット６を同時に固定する。
【００３３】
なお、端子１７とコネクタ部２５の接続は電池ボックス３の収納方向に直角な方向に電気的に接触するものに限らず、収納方向に接触するものでもよい。また、窪みとなる凹溝部１９および端子１７を電子ブロック２に設けたが、これらを電池ボックス３に設け、コネクタ部２５を電子ブロック２に突設してもよい。
【図面の簡単な説明】
【００３４】
【図１】この発明の一実施の形態の正面図である。
【図２】電子ブロックに電池ボックスを接続する前の状態の斜視図である。
【図３】電子ブロックと電池ボックスの接続状態の部分断面図である。
【図４】分解斜視図である。
【図５】電池ボックスの分解斜視図である。
【図６】下ケースの断面図である。
【図７】電池ボックスの分解断面図である。
【図８】電池ボックスの断面図である。
【図９】従来例の分解斜視図である。
【図１０】電池ケースを示す図である。
【符号の説明】
【００３５】
１    器具本体
１ｄ    下板
１ｆ    開口
２    電子ブロック
３    電池ボックス
１４    係止片
１７    端子
１８    引っ掛け部
２０    位置決め用ガイド
２５    コネクタ部
２６    第１の突出部
２７    第２の突出部
２８    着脱レバー
２９    つまみ部
３１    当接部
３２    被ガイド部
３３    被ガイド部
【図１】
0004725286.tif 000002
【図２】
0004725286.tif 000003
【図３】
0004725286.tif 000004
【図４】
0004725286.tif 000005
【図５】
0004725286.tif 000006
【図６】
0004725286.tif 000007
【図７】
0004725286.tif 000008
【図８】
0004725286.tif 000009
【図９】
0004725286.tif 000010
【図１０】
0004725286.tif 000011